(57)【要約】【課題】正規のＩＣカードよりも小さいＩＣカードが誤って挿入された場合であっても、容易にそのＩＣカードを取り出すことができること。【解決手段】イジェクタ部材２２のアーム部２２Ａの端部から側壁部１２ＬＷの内周部までの距離が、ＳＩＭカードＳＩＣの幅よりも小に設定され、かつ、ＳＩＭカードＳＩＣを受け止めるイジェクタ部材２２が最大押し込まれた場合、ＳＩＭカードＳＩＣの一端部がカードスロットを介して外部に露出するもの。【選択図】図１３
2008140030.tif 000002
【特許請求の範囲】
【請求項１】
ＩＣカードを着脱可能に収容し該ＩＣカードと電気的接続を行なうコンタクト端子を有するカード収容部と、
前記ＩＣカードの着脱方向に沿って移動可能に配され、前記カード収容部内に挿入された該ＩＣカードの端部を受け止めるように該ＩＣカードの着脱方向に対し略直交する方向に延びるアーム部を有するイジェクタ部材と、
前記イジェクタ部材におけるＩＣカードの保持動作および排出動作を制御するイジェクタ部材動作制御機構部と、を備え、
前記イジェクト部材のアーム部の端部から相対向する前記カード収容部を形成する側壁部までの距離が、前記ＩＣカードの大きさよりも小なるＩＣカードの幅よりも小に設定され、前記イジェクタ部材動作制御機構部により前記イジェクタ部材が前記カード収容部において最大移動せしめられる場合、該イジェクタ部材のアーム部に受け止められる該小なるＩＣカードの一端部が該カード収容部の開口端部から外部に露出することを特徴とするＩＣカード用コネクタ。
【請求項２】
前記カード収容部に挿入されるＩＣカードの外周面を前記イジェクタ部材に向けて誘導する複数の窪みを有し該カード収容部を覆うカバー部材をさらに備えることを特徴とする請求項１記載のＩＣカード用コネクタ。
【請求項３】
前記カード収容部に挿入されるＩＣカードの外周面を前記コンタクト端子に向けて押圧する窪みを有し該カード収容部を覆うカバー部材をさらに備えることを特徴とする請求項１記載のＩＣカード用コネクタ。
【発明の詳細な説明】
【技術分野】
【０００１】
本発明は、ＩＣカードを選択的にカード収容部内に保持または排出させるイジェクタ部材を備えるＩＣカード用コネクタに関する。
【背景技術】
【０００２】
携帯電話機等の通信用電子機器においては、中央処理装置（ＣＰＵ）あるいはメモリ用の集積回路が内蔵されるＳＩＭ（subscriber identity module）カード、ＳＤ（secure digital）カードなどのＩＣカードをその各機器にＩＣカード用コネクタを介して装着することにより、各種の機能拡張などを行うようにしている。なお、本明細書中においては、ＩＣカードとは、ＳＤカードなどのメモリカード、ＣＰＵ搭載カード、ロジック付きのカード、専用コプロセッサ付きのカードなどをいう。
【０００３】
また、通信用電子機器以外の他の電子機器、例えば、複合化された車両用オーディオ機器およびナビゲーションシステムにおいても、ナビゲーションシステムに用いられるデータを格納するＳＤカードが、カード用コネクタを介してナビゲーションシステムに着脱可能に装着されている。
【０００４】
ＳＤカード等のＩＣカード用のカード用コネクタは、例えば、特許文献１にも示されるように、縦長のＩＣカードの収容部に対しＩＣカードの着脱を行うイジェクト機構を備えている。イジェクト機構は、例えば、ＩＣカードの収容部内に配されるＩＣカードの一方の端部を押圧するとともにその収容部内から外部に向けてＩＣカードを選択的に排出するイジェクタ部材と（特許文献１においてはスライダと称する）、そのイジェクタ部材に隣接して配され、ＩＣカードの着脱操作に応じてイジェクタ部材の動作を制御するイジェクタ動作制御機構部とを含んで構成されている。
【０００５】
イジェクタ部材は、例えば、特許文献１乃至３にも示されるように、ＩＣカードの一方の端部を受け止めるアーム部を有している。そのアーム部の長さは、所定の装着される一枚のＩＣカードの形状寸法に対応した長さに設定されている。また、イジェクタ動作制御機構部は、イジェクタ部材を、そのＩＣカードの形状寸法に対応した所定のストロークで往復動させるように構成されている。
【０００６】
このような構成において、ＩＣカードがカードスロットを介してＩＣカードの収容部に挿入されて装着される場合、ＩＣカードの一端が保持されてイジェクタ部材とともに、所定量、その収容部の内方に向けて押圧される。これにより、イジェクタ部材に伴って移動せしめられたＩＣカードの一端が解放されるとき、イジェクタ動作制御機構部により、イジェクタ部材とともにＩＣカードがその収容部内に確実に保持されることとなる。
【０００７】
一方、ＩＣカードが収容部から取り外される場合、ＩＣカードの一端とともにイジェクト部材が所定量、さらに押圧される。これにより、イジェクタ動作制御機構部の一部を構成するコイルスプリングの付勢力により、イジェクタ部材とともにＩＣカードの一端が排出方向に向けて押圧され移動せしめられる。
【０００８】
【特許文献１】特開２００４−２０６９６３号公報
【特許文献２】特開２００５−１０８５６９号公報
【特許文献３】特開２００４−２４１１５８号公報
【発明の開示】
【発明が解決しようとする課題】
【０００９】
上述のようなナビゲーションシステムにおいて、ＩＣカード用コネクタが複数個用いられる場合、例えば、ＳＤカード用カードスロット、および、ＳＩＭカード用カードスロットが、ナビゲーションシステムにおける液晶表示部の側面部の共通の平面上に隣接して開口して設けられる場合がある。
【００１０】
このような場合、ＳＤカードの大きさはＳＩＭカードの大きさに比べて大なのでＳＤカード用カードスロットの大きさは、ＳＩＭカード用カードスロットの大きさに比して大に設定されている。
【００１１】
ナビゲーションシステムを利用する操作者は、ＳＩＭカードを装着する場合、ＳＤカード用カードスロットが液晶表示部の側面部に設けられているのでカードスロットを目視で確認することなく、ＳＩＭカードをＳＤカード用カードスロット内に誤って挿入する場合がある。
【００１２】
従って、その全体がＳＤカード用カードスロットを通じてカード用コネクタ内に誤って挿入された場合、そのＳＩＭカードが取り出せなくなる虞がある。このような場合、誤挿入を回避すべく、ＳＤカード用カードスロットに、個別に蓋部材を設けることも考えられるが、ＩＣカードの着脱の操作が煩雑なるので得策でない。
【００１３】
以上の問題点を考慮し、本発明は、本発明は、ＩＣカード用コネクタであって、正規のＩＣカードよりも小さいＩＣカードが誤って挿入された場合であっても、容易にそのＩＣカードを取り出すことができるＩＣカード用コネクタを提供することを目的とする。
【課題を解決するための手段】
【００１４】
上述の目的を達成するために、本発明に係るＩＣカード用コネクタは、ＩＣカードを着脱可能に収容しＩＣカードと電気的接続を行なうコンタクト端子を有するカード収容部と、ＩＣカードの着脱方向に沿って移動可能に配され、カード収容部内に挿入されたＩＣカードの端部を受け止めるようにＩＣカードの着脱方向に対し略直交する方向に延びるアーム部を有するイジェクタ部材と、イジェクタ部材におけるＩＣカードの保持動作および排出動作を制御するイジェクタ部材動作制御機構部と、を備え、イジェクト部材のアーム部の端部から相対向するカード収容部を形成する側壁部までの距離が、ＩＣカードの大きさよりも小なるＩＣカードの幅よりも小に設定され、イジェクタ部材動作制御機構部によりイジェクタ部材がカード収容部において最大移動せしめられる場合、イジェクタ部材のアーム部に受け止められる小なるＩＣカードの一端部がカード収容部の開口端部から外部に露出することを特徴とする。
【発明の効果】
【００１５】
以上の説明から明らかなように、本発明に係るＩＣカード用コネクタによれば、イジェクト部材のアーム部の端部から相対向するカード収容部を形成する側壁部までの距離が、カード収容部に収容されるＩＣカードの大きさよりも小なるＩＣカードの幅よりも小に設定され、イジェクタ部材動作制御機構部によりイジェクタ部材がカード収容部において最大移動せしめられる場合、イジェクタ部材のアーム部に受け止められる小なるＩＣカードの一端部がカード収容部の開口端部から外部に露出するので正規のＩＣカードよりも小さいＩＣカードが誤って挿入された場合であっても、容易にそのＩＣカードを取り出すことができる。
【発明を実施するための最良の形態】
【００１６】
図２は、本発明に係るＩＣカード用コネクタの一例の外観を示す。
図２に示されるＩＣカード用コネクタは、例えば、その収容部に着脱可能に収容されるＩＣカードＳＤＣ（図９参照）の電極部と所定の電子機器の内部に配される信号入出力用等の配線基板ＰＢの接続端子部とを電気的に接続するものとされる。
【００１７】
ＩＣカード用コネクタは、例えば、電子機器としての車両内に搭載されるナビゲーションシステムの内部に配される。なお、ＩＣカード用コネクタは、そのようなナビゲーションシステムに限られることなく、例えば、携帯電話機、電話機、ＰＤＡ、カメラ等の電子機器の内部に配されてもよい。
【００１８】
薄板状のＩＣカードＳＤＣは、例えば、図９に示されるように、所定の記憶容量を有するＳＤカードとされる。ＳＤカードの外形寸法、例えば、全長、幅、厚さ、重さは、それぞれ、３２、２４、２．１（ｍｍ）、１．５（ｇ）とされる。
【００１９】
ＩＣカードＳＤＣは、図９において、矢印が示すカードの挿入方向に向って右側前方の角に、誤挿入防止用の傾斜部である面取部ＳＡを有している。ＩＣカードＳＤＣは、相対向して広がる一対の表層部を有している。一方の表層部の一端側には、後述されるコンタクト端子の配列に対応した複数の電極パッドがカード挿入方向に略直交する方向、即ち、幅方向に一列に所定の間隔で互いに平行となるようにその前端近傍に形成されている。また、その表層部の後端の中央部には、ＩＣカードＳＤＣの着脱のとき、把持される把持部が形成されている。さらに、ＩＣカードＳＤＣの左側部には、ライトプロテクトボタンＳＢが設けられている。
【００２０】
カード用コネクタは、図２および図３に示されるように、収容されるＩＣカードＳＤＣに対する電気的接続を行う複数のコンタクト端子等が配列されるベース部材１２と、ベース部材１２と協働してＩＣカードＳＤＣのカード収容部を形成するカバー部材１０とを含んで構成されている。
【００２１】
金属製のカバー部材１０は、図２および図３において、その平坦部の左右の両側部にそれぞれ、ベース部材１２の両側面をそれぞれ覆う折曲部１０ＲＷおよび１０ＬＷを相対
向して有している。
【００２２】
折曲部１０ＬＷは、樹脂で成形されたベース部材１２の側面部に一体に形成される爪部１２ｎａ，１２ｎｂ，１２ｎｆ、および、１２ｎｇにそれぞれ係合される透孔１０ａ、１０ｂ、１０ｆ、および、１０ｇを有している。
【００２３】
また、折曲部１０ＬＷにおける透孔１０ａに対向し離隔した内方には、図６に示されるように、平坦部に対し垂直に折り曲げられ突出した係止片１０ｍが形成されている。係止片１０ｍは、後述するベース部材１２の凹部１２ｍに挿入される。
【００２４】
折曲部１０ＲＷは、図６に示されるように、樹脂で成形されたベース部材１２の側面部に一体に形成される複数個の爪部（不図示）にそれぞれ係合される透孔１０ｈ、１０ｉ、１０ｊ，および、１０ｋを有している。また、折曲部１０ＲＷにおける透孔１０ｊ、および、１０ｋの間の位置には、平坦部に対し平行に突出するように側面部の端から折り曲げられる固定部１０ｔが一体に形成されている。固定部１０ｔは、電子機器の内部に配される配線基板ＰＢ上に固定される。
【００２５】
図２において、カードスロットとして開口端を形成するカバー部材１０の前端部における右端近傍には、透孔を有する折曲片１０ｕが一体に形成されている。その透孔は、ベース部材１２の開口端の周縁の一方側に設けられる爪部１２ｎｕに係合される。
【００２６】
図６において、カバー部材１０の後端部には、透孔を有する折曲部１０ｓが一体に折曲片１０ｕに対向して形成されている。折曲部１０ｓは、平坦部の端に連なって形成され、ベース部材１２の後端部を覆うものとされる。その透孔は、ベース部材１２の後端に対応して形成される爪部に係合される。
【００２７】
折曲部１０ｓの一方の端に隣接した位置には、ベース部材１２の後端を覆う折曲部１０ＢＷが平坦部と一体に形成されている。折曲部１０ＢＷには、複数個の透孔１０ｎが所定の間隔で形成されている。各透孔は、ベース部材１２の後端に対応して形成される爪部に係合される。
【００２８】
上述の平坦部には、一対の押圧片１０ｐａおよび１０ｐｂが所定の間隔をもって相対向してＳＤカードの挿入方向に沿って形成されている。押圧片１０ｐａおよび１０ｐｂの基端は、それぞれ、平坦部に一体に形成され、また、押圧片１０ｐａおよび１０ｐｂの自由端は、その弾性力により変位可能とされる。押圧片１０ｐａおよび１０ｐｂと他の平坦部との間には、隙間が形成されている。
【００２９】
これにより、ＩＣカードＳＤＣがカード収容部に装着されたＩＣカードＳＤＣが排出される場合、所定量変位した押圧片１０ｐａおよび１０ｐｂの自由端がＩＣカードＳＤＣの外面を付勢することによってＩＣカードＳＤＣの急峻な飛び出しが規制されることとなる。
【００３０】
平坦部における押圧片１０ｐｂと折曲部１０ＲＷとの間には、後述するカムレバーを摺動可能に押圧するカムレバー押圧片１０ｃｐが形成されている。カムレバー押圧片１０ｃｐの基端部は、平坦部と一体に形成されている。カムレバー押圧片１０ｃｐの自由端と平坦部の他の部分との間には、隙間が形成されている。
【００３１】
平坦部における押圧片１０ｐａおよび１０ｐｂの相互間であって前方の端部近傍には、比較的浅い窪み１０ｅａおよび１０ｅｂが所定距離、離隔して形成されている。窪み１０ｅａおよび１０ｅｂは、それぞれ、図６に示されるように、平坦部がプレス加工等により内側に向いた「だぼ」のように形成される。窪み１０ｅａおよび１０ｅｂをそれぞれ形成する部分の先端は、平坦面１０ｅｆを有している。
【００３２】
平坦部における中央部分には、窪み１０ｄａ，１０ｄｂ，１０ｄｃ，および１０ｄｄが、カードの挿入方向に対し略直交する方向に沿って一列状に所定の間隔で形成されている。窪み１０ｄａ〜１０ｄｄは、平坦部がプレス加工等により内側に向いた「だぼ」のように形成される。窪み１０ｄａ〜１０ｄｄの深さは、図５に示されるように、窪み１０ｅａおよび１０ｅｂの深さと同様な深さとされる。窪み１０ｄａ〜１０ｄｄをそれぞれ形成する部分の先端は、平坦面１０ｅｆよりも小さい平坦面１０ｄｆを有している。
【００３３】
平坦部における窪み１０ｄａ〜１０ｄｄよりもさらに折曲部１０ＢＷに近い位置であって、折曲部１０ＬＷ側の位置には、図２および図６に示されるように、窪み１０ｅａおよび１０ｅｂ、および、窪み１０ｄａ〜１０ｄｄよりも大なる窪み１０ｒが、平坦部がプレス加工等により内側に向いた「だぼ」のように形成されている。
【００３４】
窪み１０ｒの深さは、図５に示されるように、窪み１０ｅａおよび１０ｄａ〜１０ｄｄの深さと同様な深さとされる。窪み１０ｒを形成する部分の先端は、平坦面１０ｒｆを有している。
【００３５】
平坦部における窪み１０ｒと折曲部１０ＢＷとの間には、開口部１０Ｈが形成されている。
【００３６】
ベース部材１２は、図１および図２に示されるように、ＩＣカードＳＤＣが収容されるカード収容部１６と、ベース部材１２の右側の側壁部１２ＲＷにおける内側にカード収容部１６に隣接して形成され、後述するコイルスプリング２４により付勢されるイジェクタ部材２２を摺動可能に案内するとともに、イジェクタ部材２２を選択的に保持または解放するイジェクタ動作制御機構収容部２６とを含んで構成されている。
【００３７】
カード収容部１６は、カバー部材１０とベース部材１２とにより囲まれた内部空間として形成されている。カード収容部１６における一方の端部には、図２に示されるように、着脱されるＩＣカードＳＤＣが通過するカードスロットとしての開口部が形成されている。
【００３８】
側壁部１２ＬＷの内周部、および、側壁部１２ＲＷから内方に所定距離、離隔した部位には、図４に示されるように、それぞれ、着脱されるＩＣカードＳＤＣの段差部に係合されＩＣカードＳＤＣを案内する案内壁部１２ｇｗが相対向して形成されている。各案内壁部１２ｇｗは、図１に示される矢印Ｌが示すその長手方向に沿って延在している。また、各案内壁部１２ｇｗは、カード収容部１６を形成する底面部から所定の高さだけ隆起した段差部を形成している。各案内壁部１２ｇｗ相互間における開口端部には、ＩＣカードＳＤＣの一端を容易に把持し引き出させるように円弧部１２ｃｓが形成されている。
【００３９】
側壁部１２ＬＷの外周面と、側壁部１２ＲＷおよび側壁部１２ＲＷに連なる前壁の外周面とには、それぞれ、図１および図３に示されるように、上述したカバー部材１０の透孔１０ａ〜１０ｋにそれぞれ、係合される爪部１２ｎａ、爪部１２ｎｂ、１２ｎｆ、１２ｎｇ，１２ｎｕ等が形成されている。また、側壁部１２ＬＷの後端および側壁部１２ＲＷの後端とを連結するコンタクト端子固定壁１２ＢＷの外周面には、カバー部材１０の各透孔１０ｎにそれぞれ、係合される爪部が、図３に示されるように、複数個、所定の間隔で形成されている。
【００４０】
側壁部１２ＲＷに連なる前壁の内周面におけるイジェクタ動作制御機構収容部２６の前方側となる位置には、後述するイジェクタ部材２２の初期位置を規制する初期位置規制面が形成されている。
【００４１】
また、コンタクト端子固定壁部１２ＢＷには、図１に示されるように、コンタクト端子１４ａｉ（ｉ＝１〜ｎ，ｎは正の整数）の固定端子部が挿入される貫通孔１２Ｇｉ（ｉ＝１〜ｎ，ｎは正の整数）が複数個、所定の間隔で壁面に開口して形成されている。
【００４２】
コンタクト端子１４ａｉは、図１および図５に示されるように、それぞれ、側壁部１２ＲＷに対し略平行に配され、ＩＣカードＳＤＣの電極パッドに接触する接点部を有する弾性変位可能な可動片部と、配線基板ＰＢの導電層に半田付け固定される端子部と、上述のコンタクト端子固定壁部１２ＢＷに固定され、その可動片部と端子部とを連結する固定部とを含んでなる。その端子部は、コンタクト端子固定壁部１２ＢＷを介して外部に突出している。側壁部１２ＬＷに隣接する複数のコンタクト端子１４ａｉの接点部は、図５に示されるように、上述のカバー部材１０の窪み１０ｒに対向して配されている。
【００４３】
側壁部１２ＬＷには、ＩＣカードＳＤＣのライトプロテクトボタンＳＢの位置を検出する検出スイッチ３２が設けられている。また、側壁部１２ＬＷの前端近傍における上部には、凹部１２ｍが形成されている。側壁部１２ＬＷにおける検出スイッチ３２と凹部１２ｍとの間に形成される溝には、Ｌ字状の固定金具１２ｔの基部が圧入されている。
【００４４】
カード収容部１６の底面部における案内壁部１２ｇｗ相互間の中央部には、図１に示されるように、開口部１２Ｈが形成されている。カード収容部１６の底面部の外周面には、図４および図５に示されるように、配線基板ＰＢの所定の孔に嵌合される位置決めピン１２ＰＡが２箇所に設けられている。
【００４５】
側壁部１２ＲＷの内周面と案内壁部１２ｇｗとの間に形成されるイジェクタ動作制御機構収容部２６は、コンタクト端子固定壁部１２ＢＷと前壁部との間で、側壁部１２ＲＷにより囲まれて形成されている。
【００４６】
イジェクタ動作制御機構収容部２６には、イジェクタ部材２２の基部２２ＢがＩＣカードＳＤＣの着脱方向に沿って摺動可能に配されている。イジェクタ動作制御機構収容部２６の底部には、後述するイジェクタ部材２２の突起部２２Ｂｐが移動可能に係合される細長い溝（不図示）が形成されている。イジェクタ動作制御機構収容部２６を形成するコンタクト端子固定壁部１２ＢＷに連なる凹部１２Ｄには、コイルスプリング２４の一端が当接されている。コイルスプリング２４の他端は、イジェクタ部材２２の基部２２Ｂ端面に当接している。これにより、イジェクタ部材２２は、コイルスプリング２４の付勢力により、ＩＣカードＳＤＣの排出方向に付勢されることにより、イジェクタ部材２２の端面が上述の初期位置規制面に当接せしめられる。
【００４７】
イジェクタ部材２２は、図１および図７に示されるように、コンタクト端子固定壁部１２ＢＷに対し平行に延びるアーム部２２Ａと、アーム部２２Ａに略直交するようにアーム部２２Ａの基端と一体に形成される基部２２Ｂとからなる。
【００４８】
アーム部２２Ａの長さＬは、図７および図９に示されるように、その先端が装着されたＩＣカードＳＤＣの端部の略中央部に到達し、かつ、その先端から側壁部１２ＬＷの内周面まで距離が、後述するＳＩＭカードＳＩＣの幅寸法よりも小となるように設定されている。
【００４９】
また、アーム部２２Ａの下面部には、図７に拡大されて示されるように、上述の各コンタクト端子１４ａｉの周囲に形成されるガイド壁にそれぞれ、移動可能に係合される溝部２２Ａｇが所定の間隔で互いに平行に形成されている。装着されたＩＣカードＳＤＣの端部の浮き上がりを規制する鍔部２２Ａｓが、溝部２２Ａｇに隣接して薄板状に形成されている。
【００５０】
アーム部２２Ａにおける鍔部２２Ａｓにおける一方の端部が連結される部分には、ＩＣカードＳＤＣの面取部ＳＡが当接する斜面部２２Ｓが形成されている。
【００５１】
基部２２Ｂにおける下面部には、突起部２２Ｂｐがイジェクタ部材２２の移動方向に沿って形成されている。
【００５２】
基部２２Ｂの上面部には、装着されるＩＣカードＳＤＣの側面部における切欠部に係合される折曲部を有するカード保持用板ばね３０が圧入される溝２２Ｄが細長く形成されている。
【００５３】
また、基部２２Ｂの上面部には、溝２２Ｄに隣接してイジェクタ動作制御機構の一部を構成する案内溝２２Ｇが形成されている。
【００５４】
案内溝２２Ｇは、後述するカムレバー部材２８の一方の端部が移動されるべき移動経路を形成している。即ち、案内溝２２Ｇは、イジェクタ部材２２の進行または後退時、そのカムレバー部材２８の端部を案内する共通路と、その共通路から分岐して形成されイジェクタ部材２２が進行時、カムレバー部材２８の端部を案内する進行路と、その共通路から分岐して形成されイジェクタ部材２２が後退時、カムレバー部材２８の端部を案内する後退路と、進行路の一端部と後退路の一端部とを連結し、カムレバー部材２８の一端部をカム部のカム面に導くカム通路とを連なって含んで構成されている。
【００５５】
カム部は、進行路、後退路、およびカム通路により取り囲まれるように形成されている。カム部のカム面は、ＩＣカードＳＤＣが完全に収容されたとき、カムレバー部材２８の一端を保持するものとされる。カムレバー部材２８の他端は、前壁の内周部に固定されている。
【００５６】
これにより、カムレバー部材２８の一端が案内溝２２Ｇに沿って案内されることにより、イジェクタ部材２２が図９に示される状態の位置と図１０に示される状態の位置との間を所定のストロークで往復動せしめられる。その際、図１０においてイジェクタ部材２２が最大に押し込まれた状態における保持されるＩＣカードＳＤＣの先端からベース部材１２の開口端部までの距離Ｓｔは、後述するＳＩＭカードＳＩＣの縦方向の最大寸法よりも短く設定されている。
【００５７】
従って、イジェクタ動作制御機構は、上述の案内溝２２Ｇと、カムレバー部材２８と、カムレバー部材２８の一端を案内溝２２Ｇの案内面に対し付勢する上述のカムレバー押圧片１０ｃｐとを含んで構成されている。
【００５８】
門形状のカムレバー部材２８は、前壁部近傍の孔に回転可能に係合される他端部と、上述の案内溝２２Ｇに案内される一端部と、一端部と他端部とを連結する連結部とから構成されている。
【００５９】
このような構成において、ＩＣカードＳＤＣがカード収容部１６に装着されるとき、即ち、カードスロットに挿入されたＩＣカードＳＤＣの進行方向の端部が、図８（Ａ）に示される状態からＩＣカードＳＤＣの挿入する方向に沿って図８（Ｂ）および図９に示されるように、イジェクタ部材２２がコイルスプリング２４の付勢力に抗して矢印の示す方向に沿って進行後、図８（Ｃ）および図１０に示されるように、カムレバー部材２８の一端が案内溝２２Ｇのカム部のカム面に、コイルスプリング２４の付勢力により押圧され保持されることとなる。
【００６０】
その際、イジェクタ部材２２は、ＩＣカードＳＤＣの２辺および面取部ＳＡを受け止めるのでＩＣカードＳＤＣが傾いた姿勢で挿入される虞がない。しかも、図１４（Ａ）に示されるように、カバー部材１０に形成される窪み１０ｅａ，１０ｅｂに対応した平坦面１０ｅｆと、窪み１０ｄａ〜１０ｄｄに対応した平坦面１０ｄｆと、窪み１０ｒに対応した平坦面１０ｒｆとにより、挿入されたＩＣカードＳＤＣのすべての電極パッドがコンタクト端子１４ａｉの接点部に適切な接触圧力で当接するようにＩＣカードＳＤＣの上面が均等に押圧されることとなる。
【００６１】
また、窪み１０ｅａ，１０ｅｂに対応した平坦面１０ｅｆ、および、窪み１０ｄａ〜１０ｄｄに対応した平坦面１０ｄｆは、それぞれ、ＩＣカードＳＤＣの進行方向の端部をイジェクタ部材２２の鍔部２２Ａｓに対し容易に誘い込んだ後、係合させるように案内するものとされる。さらに、窪み１０ｒに対応した平坦面１０ｒｆは、ＩＣカードＳＤＣにおける鍔部２２Ａｓに係合されていない部分がカード収容部１６で不所望にがたつくことを抑制する。
【００６２】
一方、ＩＣカードＳＤＣが排出される場合、即ち、ＩＣカードＳＤＣの一端およびイジェクタ部材２２がさらにコイルスプリング２４の付勢力に抗して押圧されることにより、カムレバー部材２８の一端が一旦、案内溝２２Ｇのカム面から離れ、カム通路を通じて進行した後、コイルスプリング２４の付勢力により、後退路および共通路に案内され後退されることとなる。そして、イジェクタ部材２２がＩＣカードＳＤＣを伴って摺接しながら後退せしめられることにより、ＩＣカードＳＤＣが排出される。
【００６３】
さらに、図１１（Ａ）および図１２に示されるように、ＩＣカードＳＤＣよりも小さいＳＩＭカードＳＩＣが誤ってカードスロットに挿入された場合、イジェクタ部材２２によりＳＩＭカードＳＩＣの２辺および面取部ＳＡが受け止められた直後においては、ＳＩＭカードＳＩＣの一端部が外部に未だ露出しているのでＳＩＭカードＳＩＣの一端部を容易に引き抜き出すことが可能である。
【００６４】
さらにまた、ＳＩＭカードＳＩＣが誤ってカードスロットに挿入され、ＳＩＭカードＳＩＣの進行方向の端部が、図１１（Ａ）および図１２に示される状態からＩＣカードＳＤＣの挿入する方向に沿って図１１（Ｂ）に示されるように、イジェクタ部材２２がコイルスプリング２４の付勢力に抗して矢印の示す方向に沿って進行された場合、カムレバー部材２８の一端が案内溝２２Ｇのカム部のカム面に、コイルスプリング２４の付勢力により押圧され保持されることとなる。その際、誤って挿入されたＳＩＭカードＳＩＣは、図１１（Ｃ）および図１３、図１４（Ｂ）にニ点鎖線で示されるように、イジェクタ部材２２に対し自由に動き得る状態で収容されることとなる。
【００６５】
このような場合においても、ＳＩＭカードＳＩＣの一端部が、図１１（Ｃ）に示されるように、ベース部材１２の円弧部１２ｃｓの周縁から長さΔＬだけ露出しているのでＳＩＭカードＳＩＣの一端部をさらに長さΔＬだけコイルスプリング２４の付勢力に抗して押し込むことが可能となる。
【００６６】
これにより、カムレバー部材２８の一端が一旦、案内溝２２Ｇのカム面から離れ、カム通路を通じて進行した後、コイルスプリング２４の付勢力により、後退路および共通路に案内され後退されることとなる。そして、イジェクタ部材２２がＳＩＭカードＳＩＣを伴って摺接しながら後退せしめられることにより、誤って挿入されたＳＩＭカードＳＩＣも確実に排出されることとなる。
【００６７】
上述の例においては、図２に示されるカバー部材１０における窪み１０ｄａ，１０ｄｂ，１０ｄｃ，および１０ｄｄが、それぞれ、カードの挿入方向に対し略直交する方向に沿って一列状に所定の間隔で形成されているが、斯かる例に限られることなく、図１６および図１７に示されるように、窪み４０ｄが一つの細長い窪みとして形成されてもよい。
【００６８】
図１６および図１７において、金属製のカバー部材４０は、その平坦部の左右の両側部にそれぞれ、ベース部材１２の両側面をそれぞれ覆う折曲部４０ＲＷおよび４０ＬＷを相対向して有している。
【００６９】
折曲部４０ＬＷは、樹脂で成形されたベース部材１２の側面部に一体に形成される爪部１２ｎａ，１２ｎｂ，１２ｎｆ、および、１２ｎｇにそれぞれ係合される透孔４０ａ、４０ｂ、４０ｆ、および、４０ｇを有している。
【００７０】
また、折曲部４０ＬＷにおける透孔４０ａに対向し離隔した内方には、図１６に示されるように、平坦部に対し垂直に折り曲げられ突出した係止片４０ｍが形成されている。係止片４０ｍは、ベース部材１２の凹部１２ｍに挿入される。
【００７１】
折曲部４０ＲＷは、樹脂で成形されたベース部材１２の側面部に一体に形成される複数個の爪部（不図示）にそれぞれ係合される透孔４０ｈ、４０ｉ、４０ｊ，および、４０ｋを有している。また、折曲部４０ＲＷにおける透孔４０ｊ、および、４０ｋの間の位置には、平坦部に対し平行に突出するように側面部の端から折り曲げられる固定部４０ｔが一体に形成されている。固定部４０ｔは、電子機器の内部に配される配線基板ＰＢ上に固定される。
【００７２】
カードスロットとして開口端を形成するカバー部材４０の前端部における右端近傍には、透孔を有する折曲片４０ｕが一体に形成されている。その透孔は、ベース部材１２の開口端の周縁の一方側に設けられる爪部１２ｎｕに係合される。
【００７３】
カバー部材４０の後端部には、透孔を有する折曲部４０ｓが一体に折曲片４０ｕに対向して形成されている。折曲部１０ｓは、平坦部の端に連なって形成され、ベース部材１２の後端部を覆うものとされる。その透孔は、ベース部材１２の後端に対応して形成される爪部に係合される。
【００７４】
折曲部４０ｓの一方の端に隣接した位置には、ベース部材１２の後端を覆う折曲部４０ＢＷが平坦部と一体に形成されている。折曲部４０ＢＷには、複数個の透孔４０ｎが所定の間隔で形成されている。各透孔は、ベース部材１２の後端に対応して形成される爪部に係合される。
【００７５】
上述の平坦部には、一対の押圧片４０ｐａおよび４０ｐｂが所定の間隔をもって相対向してＳＤカードの挿入方向に沿って形成されている。押圧片４０ｐａおよび４０ｐｂの基端は、それぞれ、平坦部に一体に形成され、また、押圧片４０ｐａおよび４０ｐｂの自由端は、その弾性力により変位可能とされる。押圧片４０ｐａおよび４０ｐｂと他の平坦部との間には、隙間が形成されている。
【００７６】
これにより、ＩＣカードＳＤＣがカード収容部に装着されたＩＣカードＳＤＣが排出される場合、所定量変位した押圧片４０ｐａおよび４０ｐｂの自由端がＩＣカードＳＤＣの外面を付勢することによってＩＣカードＳＤＣの急峻な飛び出しが規制されることとなる。
【００７７】
平坦部における押圧片４０ｐｂと折曲部４０ＲＷとの間には、カムレバーを摺動可能に押圧するカムレバー押圧片４０ｃｐが形成されている。カムレバー押圧片４０ｃｐの基端部は、平坦部と一体に形成されている。カムレバー押圧片４０ｃｐの自由端と平坦部の他の部分との間には、隙間が形成されている。
【００７８】
平坦部における押圧片４０ｐａおよび４０ｐｂの相互間であって前方の端部近傍には、比較的浅い窪み４０ｅａおよび４０ｅｂが所定距離、離隔して形成されている。窪み４０ｅａおよび４０ｅｂは、それぞれ、平坦部がプレス加工等により内側に向いた「だぼ」のように形成される。窪み４０ｅａおよび４０ｅｂをそれぞれ形成する部分の先端は、平坦面４０ｅｆを有している。
【００７９】
平坦部における中央部分には、窪み４０ｄが、カードの挿入方向に対し略直交する方向に沿って一直線状に形成されている。窪み４０ｄは、平坦部がプレス加工等により内側に向いた「だぼ」のように形成される。窪み４０ｄの深さは、窪み４０ｅａおよび４０ｅｂの深さと同様な深さとされる。窪み４０ｄをそれぞれ形成する部分の先端は、平坦面４０ｅｆよりも小さい平坦面４０ｄｆを有している。
【００８０】
平坦部における窪み４０ｄよりもさらに折曲部４０ＢＷに近い位置であって、折曲部４０ＬＷ側の位置には、窪み４０ｅａおよび４０ｅｂ、および、窪み４０ｄよりも大なる窪み４０ｒが、一箇所に、平坦部がプレス加工等により内側に向いた「だぼ」のように形成されている。
【００８１】
窪み４０ｒの深さは、窪み４０ｅａおよび４０ｄの深さと同様な深さとされる。窪み４０ｒを形成する部分の先端は、平坦面４０ｒｆを有している。
【００８２】
平坦部における窪み４０ｒと折曲部４０ＢＷとの間には、開口部４０Ｈが形成されている。
【００８３】
このようなカバー部材４０が用いられる場合においても、上述の例において得られる同様な作用効果を奏する。
【００８４】
なお、上述の本発明に係るＩＣカード用コネクタの一例が、ＳＤカードとされるＩＣカードＳＤＣが装着されるＩＣカード用コネクタに適用されているが、斯かる例に限られることなく、本発明に係る一例が、例えば、ｍｉｎｉＳＤカードが装着されるＩＣカード用コネクタに適用されてもよい。そのような場合においては、図２に示されるカバー部材１０における窪み１０ｄａ〜１０ｄｄ，１０ｅａ，１０ｅｂが設けられず、窪み１０ｒだけが設けられるものであってもよい。
【図面の簡単な説明】
【００８５】
【図１】本発明に係るＩＣカード用コネクタの一例の要部を示す斜視図である。
【図２】図１に示される例においてカバー部材で覆われた状態を示す斜視図である。
【図３】図２に示される例における平面図である。
【図４】図２に示される例における正面図である。
【図５】図２に示される例における断面図である。
【図６】図２に示される例において用いられるカバー部材の裏面図である。
【図７】図２に示される例において用いられるイジェクト部材の斜視図である。
【図８】（Ａ）、（Ｂ）、および、（Ｃ）は、それぞれ、図２に示される例における動作説明に供される図である。
【図９】図１に示される例においてＩＣカードが装着された状態を示す斜視図である。
【図１０】図１に示される例において装着されたＩＣカードが押し込まれた状態を示す斜視図である。
【図１１】（Ａ）、（Ｂ）、および、（Ｃ）は、それぞれ、図２に示される例における動作説明に供される図である。
【図１２】図１に示される例においてＩＣカードが装着された状態を示す斜視図である。
【図１３】図１に示される例において装着されたＩＣカードが押し込まれた状態を示す斜視図である。
【図１４】（Ａ）および（Ｂ）は、それぞれ、装着されたＩＣカードが押し込まれた状態を示す断面図である。
【図１５】図２に示される例において用いられるカバー部材の他の一例の斜視図である。
【図１６】図１５に示されるカバー部材の裏面図である。
【符号の説明】
【００８６】
１０    カバー部材
１０ｅａ，１０ｅｂ、１０ｒ    窪み
１０ｐａ，１０ｐｂ，１０ｄａ，１０ｄｂ，１０ｄｃ，１０ｄｄ    窪み
２２    イジェクタ部材
【図１】
2008140030.tif 000003
【図２】
2008140030.tif 000004
【図３】
2008140030.tif 000005
【図４】
2008140030.tif 000006
【図５】
2008140030.tif 000007
【図６】
2008140030.tif 000008
【図７】
2008140030.tif 000009
【図８】
2008140030.tif 000010
【図９】
2008140030.tif 000011
【図１０】
2008140030.tif 000012
【図１１】
2008140030.tif 000013
【図１２】
2008140030.tif 000014
【図１３】
2008140030.tif 000015
【図１４】
2008140030.tif 000016
【図１５】
2008140030.tif 000017
【図１６】
2008140030.tif 000018